(57)【特許請求の範囲】
【請求項１】
コンクリートブロックを設置する基礎面に、前記コンクリートブロックの高さを調整する上下調整装置を載置し得る大きさを有し、且つ前記コンクリートブロックの底板の下面と前記基礎面との間に前記硬化剤を注入充填してコンクリートブロックを硬化固定するに十分な浮上間隙が確保される厚みを有する支承板を複数載置し、この支承板は、この支承板上に載置した上下調整装置でコンクリートブロックを支承した際に、この上下調整装置に加わるコンクリートブロックの荷重を支えることができて下方の前記基礎面が沈下することのない大きさと厚みとを有するように設定構成し、この複数の支承板に夫々上下調整装置を載置し、この夫々の上下調整装置にコンクリートブロックの底板の四隅を支承し、この四隅の上下調整装置によりコンクリートブロックの底板を所定の水平状態若しくは傾斜状態に調整是正した後、このコンクリートブロックの正しい姿勢を保持手段により保持せしめて上下調整装置を取り除き、前記基礎面とコンクリートブロックの底板の下面との間隙並びにこの基礎面に載置した前記支承板とコンクリートブロックの底板の下面との間隙にセメントモルタルやコンクリートモルタルなどの硬化剤を充填して基礎面上にコンクリートブロックを設置することを特徴とするコンクリートブロックの設置法。
【請求項２】
前記支承板は、予め工場で量産しておいたコンクリート板を採用することを特徴とする請求項１記載のコンクリートブロックの設置法。
【発明の詳細な説明】
【０００１】
【発明の属する技術分野】
本発明は、擁壁ブロック，排水溝ブロック，柵渠溝ブロック，ボックスカルバートなどの大型のコンクリートブロックの設置法に関するものである。
【０００２】
【従来の技術及び発明が解決しようとする課題】
大型のコンクリートブロックを順次並べて擁壁や排水溝や排水トンネルなどを施工する場合、コンクリートブロックをトラックなどの運搬車両で現場に運び、トラッククレーンなどにより吊り下げて基礎面上に降ろし、順次所定位置に並べていく。
【０００３】
更に詳しく説明すると、このコンクリートブロックは、基礎面上に載置した上下調整装置によって一旦底板の四隅を支承され、この四隅の上下調整装置を調整することで姿勢を正しい設置状態に調整是正し、それからこの正しい姿勢のままコンクリートブロックを基礎面より浮上状態となるように仮保持して上下調整装置を取り外した後、コンクリートブロックの底板に設けた注入口よりこの底板と基礎面との間の浮上間隙にセメントモルタルやコンクリートモルタルなどの硬化剤を注入充填して固定するものであった。
【０００４】
しかしながら、この設置法においては、コンクリートブロックが非常に大型で重いために、コンクリートブロックを基礎面上に載置した上下調整装置で支承した際に、この上下調整装置のひとつひとつにコンクリートブロックの大きな荷重が集中して、この上下調整装置を載置した基礎面が沈下してしまうことがある。
【０００５】
そして、このように上下調整装置を載置した基礎面が沈下してしまうと、この上下調整装置によるコンクリートブロックの姿勢是正の際の調整精度が出しにくなってしまう上、コンクリートブロックを基礎面より浮上状態となるようにして仮保持した後にこの上下調整装置を取り外しにくくなってしまうなどの問題が生じ、結果として作業能率を低下させてしまう。
【０００６】
本発明は、このような現状に鑑み、これを解決するもので、上下調整装置を基礎面に直接載置するのではなく、基礎面に複数の支承板を載置してこの支承板上に上下調整装置を載置することで、この上下調整装置に加わるコンクリートブロックの荷重が支承板に支えられて基礎面の沈下が防止されることになり、しかもこの支承板によって基礎面上に設置するコンクリートブロックの底板とこの基礎面との間には硬化剤注入用の浮上間隙が確保されることになるため、上下調整装置によるコンクリートブロックの姿勢是正作業に際して硬化剤注入用の浮上間隙を形成するような大幅な調整変更は不要となり、コンクリートブロックの姿勢是正を行うだけの作業で良いこととなって作業性が著しく向上することになる画期的なコンクリートブロックの設置法を提供するものである。
【０００７】
【課題を解決するための手段】
添付図面を参照して本発明の要旨を説明する。
【０００８】
コンクリートブロック１を設置する基礎面２に、前記コンクリートブロック１の高さを調整する上下調整装置４を載置し得る大きさを有し、且つ前記コンクリートブロック１の底板５の下面と前記基礎面２との間に前記硬化剤８を注入充填してコンクリートブロック１を硬化固定するに十分な浮上間隙７が確保される厚みを有する支承板３を複数載置し、この支承板３は、この支承板３上に載置した上下調整装置４でコンクリートブロック１を支承した際に、この上下調整装置４に加わるコンクリートブロック１の荷重を支えることができて下方の前記基礎面２が沈下することのない大きさと厚みとを有するように設定構成し、この複数の支承板３に夫々上下調整装置４を載置し、この夫々の上下調整装置４にコンクリートブロック１の底板５の四隅を支承し、この四隅の上下調整装置４によりコンクリートブロック１の底板５を所定の水平状態若しくは傾斜状態に調整是正した後、このコンクリートブロック１の正しい姿勢を保持手段６により保持せしめて上下調整装置４を取り除き、前記基礎面２とコンクリートブロック１の底板５の下面との間隙７並びにこの基礎面２に載置した前記支承板３とコンクリートブロック１の底板５の下面との間隙７にセメントモルタルやコンクリートモルタルなどの硬化剤８を充填して基礎面２上にコンクリートブロック１を設置することを特徴とするコンクリートブロックの設置法に係るものである。
【０００９】
また、前記支承板３は、予め工場で量産しておいたコンクリート板を採用することを特徴とする請求項１記載のコンクリートブロックの設置法に係るものである。
【００１０】
【発明の実施の形態】
好適と考える本発明の実施の形態（発明をどのように実施するか）を、図面に基づいてその作用効果を示して簡単に説明する。
【００１１】
基礎面２に複数の支承板３を載置し、この複数の支承板３にコンクリートブロック１の高さを調整する上下調整装置４を載置する。
【００１２】
次いで、この上下調整装置４にコンクリートブロック１の底板５を支承すると、この支承板３並びに上下調整装置４を介することでこのコンクリートブロック１の底板５は基礎面２より浮上状態で配置されることになる。即ち、コンクリートブロック１を基礎面２上に配置するだけで、このコンクリートブロック１の底板５の下面と基礎面２との間には、硬化剤８注入用の浮上間隙７が確保されることになる。
【００１３】
また、この上下調整装置４には、支承したコンクリートブロック１の重さが集中することになるが、この上下調整装置４は従来のように基礎面２に直接載置するのではなく、この基礎面２に載置した支承板３に載置しているから、この上下調整装置４に加わるコンクリートブロック１の荷重が支承板３に支えられることになり、これにより基礎面２の沈下は防止されて従来のような作業能率の低下を招くことがない。
【００１４】
そして、この上下調整装置４により支承したコンクリートブロック１の底板５を所定の水平状態若しくは傾斜状態に調整是正するが、この際コンクリートブロック１の底板５と基礎面２との間には硬化剤８注入用の浮上間隙７が確保されているため、上下調整装置４により硬化剤８注入に必要な浮上間隙７を形成するような大幅な調整変更作業は不要となり、単にコンクリートブロック１の姿勢を是正するだけのわずかな調整作業で良いこととなる。
【００１５】
その後、このコンクリートブロック１の正しい姿勢を保持手段６により保持して、上下調整装置４を取り除く。
【００１６】
次いで、前記基礎面２とコンクリートブロック１の底板５の下面との間隙７並びにこの基礎面２に載置した前記支承板３とコンクリートブロック１の底板５の下面との間隙７にセメントモルタルやコンクリートモルタルなどの硬化剤８を充填して基礎面２上にコンクリートブロック１を設置固定し、作業終了となる。
【００１７】
【実施例】
本発明の具体的な実施例について図面に基づいて説明する。
【００１８】
本実施例のコンクリートブロック１は、擁壁ブロックを図示しているが、その他のコンクリートブロックでも良い。
【００１９】
コンクリートブロック１を設置する基礎面２に複数の支承板３を載置し、この複数の支承板３にコンクリートブロック１の高さを調整する上下調整装置４を載置し、この上下調整装置４にコンクリートブロック１の底板５を支承する。
【００２０】
具体的に説明すると、支承板３は、図１に示すような予め工場で量産しておいた方形状のコンクリート板（プレキャストコンクリート板）を採用している。
【００２１】
また、この支承板３は、上下調整装置４を載置し得るように大きさを設定すると共に、この支承板３を介して基礎面２上に前記コンクリートブロック１を配置した際に、このコンクリートブロック１の底板５の下面と基礎面２との間に最低限前記硬化剤８を注入充填してコンクリートブロック１を硬化固定するに十分な浮上間隙７が確保されるように厚みを設定している。
【００２２】
また、更に詳しくは、この支承板３は、この支承板３上に載置した上下調整装置４でコンクリートブロック１を支承した際に、この上下調整装置４に加わるコンクリートブロック１の荷重を支えることができて下方の基礎面２が沈下することのない大きさと厚みとを有するように設定構成している。
【００２３】
本実施例では、この複数の支承板３を、図１に示すように、コンクリートブロック１を横並びに設置する基礎面２の長さ方向に所定間隔を置いた並設状態に載置すると共に、この基礎面２に設置されるコンクリートブロック１の底板５の前後部の下方に位置するようにして載置している。
【００２４】
即ち、本実施例では、コンクリートブロック１の底板５の前後部分の下方に別々の支承板３が載置されるような比較的小さな支承板３としているため、この構成によれば支承板３を材料コスト安に形成できる上、この支承板３の移動・運搬も簡易に行えることになる。
【００２５】
また、本実施例では、複数の支承板３に載置した前記上下調整装置４が、夫々前記コンクリートブロック１の底板５の隅部（四隅）を支承することとなるように、この複数の支承板３の並設載置間隔を設定している。
【００２６】
尚、本実施例の上下調整装置４は、支承爪を備えた油圧ジャッキを採用しているが、その他の構成のジャッキ装置でも良い。
【００２７】
次いで、このコンクリートブロック１の底板５の四隅を支承した上下調整装置４によりコンクリートブロック１の底板５を所定の水平状態若しくは傾斜状態に調整是正し、この調整是正したコンクリートブロック１の正しい姿勢を保持手段６により保持して上下調整装置４を取り除く。
【００２８】
具体的に説明すると、本実施例では、保持手段６としてライナープレート９を使用し、このライナープレート９を支承板３とコンクリートブロック１の底板５の下面との間に複数枚積み重ねて介在することで、コンクリートブロック１を所定の正しい姿勢に保持する構成としている。尚、この保持手段（ライナープレート９）を基礎面２とコンクリートブロック１の底板５の下面との間に介在させても良い。また、この保持手段６は、ライナープレート９以外の適宜なスペーサでも良い。
【００２９】
そして、この保持手段６（ライナープレート９）でコンクリートブロック１を保持したら、上下調整装置４の支承爪を下降させてこの上下調整装置４を取り除く。
【００３０】
次いで、図２に示すように、基礎面２とコンクリートブロック１の底板５の下面との間隙７並びにこの基礎面２に載置した前記支承板３とコンクリートブロック１の底板５の下面との間隙７に、セメントモルタルやコンクリートモルタルなどの硬化剤８を充填して基礎面２上にコンクリートブロック１を設置固定し、作業終了となる。
【００３１】
尚、この硬化剤８の注入は、コンクリートブロック１の底板５に設けた注入口10から行うと良い。また、この硬化剤８注入に際しては、硬化剤８が脇から漏れ出ないように浮上間隙７の周りに目張りをしておくと良い。
【００３２】
従って、本実施例では、前記上下調整装置４にコンクリートブロック１を支承すると、この支承したコンクリートブロック１の重さが集中して加わることになるが、この上下調整装置４は従来のように基礎面２に直接載置するのではなく、この基礎面２に載置した支承板３に載置しているから、この上下調整装置４に加わるコンクリートブロック１の荷重が支承板３に支えられることになり、これにより基礎面２の沈下は防止されて従来までのような作業能率の低下は確実に防止されることになる。
【００３３】
また、単に支承板３を介して基礎面２上にコンクリートブロック１を設置するだけで、このコンクリートブロック１の底板５と基礎面２との間には硬化剤８注入用の浮上間隙７が確保されるため、上下調整装置４によるコンクリートブロック１の姿勢是正に際して硬化剤８注入用の浮上間隙７を形成するような大幅な調整変更作業が不要となり、単にコンクリートブロック１の姿勢を是正するだけのわずかな調整作業で良いこととなる。
【００３４】
従って、コンクリートブロック１を基礎面２に対して底上げする調整作業が実質的に不要となるため、場合によっては、左右に並設するコンクリートブロック１の底板５の左右いずれか片側の隅部だけを上下調整装置４で支承してこの片側の上下調整装置４だけを調整してコンクリートブロック１の姿勢を調整するということも可能となるし、底板５の四隅を上下調整装置４で支承した場合でも四つの上下調整装置４の全部を調整せずにコンクリートブロック１の姿勢是正を行うことが可能となり、このように調整作業がわずかで良いこととなるために従来の設置法に比して作業性が著しく向上することになる。
【００３５】
【発明の効果】
本発明は上述のように、基礎面に複数の支承板を載置し、この複数の支承板に上下調整装置を載置して、この上下調整装置にコンクリートブロックの底板を支承するから、上下調整装置に集中して加わるコンクリートブロックの荷重が支承板に支えられることとなって、従来の問題点である基礎面の沈下が防止されることになり、しかもこの支承板を用いることで、単にこの支承板上にコンクリートブロックを配置するだけでコンクリートブロックの底板と基礎面との間には硬化剤注入用の浮上間隙が確保されるため、コンクリートブロックの姿勢是正作業に際して硬化剤注入に必要な浮上間隙を形成するような大幅な調整変更作業は不要となって、コンクリートブロックの姿勢を是正するだけのわずかな調整作業を行うだけで良いこととなるので、従来の設置法に比して作業性が著しく向上することになるなど極めて実用性に秀れた画期的なコンクリートブロックの設置法となる。
【００３６】
また、上下調整装置を載置し得ると共に、載置した上下調整装置に加わるコンクリートブロックの荷重を支えることができて下方の基礎面が沈下することのない大きさと厚みとを有する支承板により、この上下調整装置に加わるコンクリートブロックの荷重が確実に支えられてこの支承板を載置した基礎面の沈下防止効果が極めて良好に発揮されることになり、しかもこの支承板の厚みによってコンクリートブロックを硬化固定するに十分な量の硬化剤を注入できる浮上間隙がコンクリートブロックの底板の下面と基礎面との間に確実に形成されるため、コンクリートブロックが極めて強固に硬化固定されることになるなど一層実用性に秀れたコンクリートブロックの設置法となる。
【００３７】
また、上下調整装置がコンクリートブロックの底板の四隅部を支承する構成のために、支承板はこの底板の四隅部を支承する上下調整装置を載置し得るだけの大きさのもので良いこととなってこの支承板を安価に形成できることとなり、しかもこれにより支承板が硬化剤の注入スペースたる浮上間隙を大きく阻害することもないので、基礎面とコンクリートブロックの底板の下面との間の浮上間隙に十分な量の硬化剤を注入できてこの硬化剤により基礎面上にコンクリートブロックを強固に硬化固定できることになるなど極めて実用性に秀れたコンクリートブロックの設置法となる。
【００３８】
また、請求項２記載の発明においては、支承板が予め工場で量産されたものであるため、支承板を現場で成形したりする場合に比して施工能率が向上することになり、しかもこの支承板としてのコンクリート板は耐久性に秀れるため、上下調整装置に加わる荷重を極めて良好に支えて基礎面の沈下防止効果を発揮することになるなど一層実用性に秀れたコンクリートブロックの設置法となる。
【図面の簡単な説明】
【図１】本実施例の施工途中を示す説明図である。
【図２】図１の状態から上下調整装置を取り除き、基礎面とコンクリートブロックの底板の下面との間の間隙に硬化剤を注入充填した状態を示す説明側面図である。
【符号の説明】
１  コンクリートブロック
２  基礎面
３  支承板
４  上下調整装置
５  底板
６  保持手段
７  （浮上）間隙
８  硬化剤
【図１】
0003587761.tif 000002
【図２】
0003587761.tif 000003